(57)【要約】  中空床スラブ型枠、中空床スラブ構造及び中空床スラブの施工方法であって、中空床スラブ構造は、複数枚の中空床スラブ型枠が繋ぎ合わされてなり、中空床スラブ型枠は、平板部（１）と、平板部の下部に設けられた複数の支持脚（４）と、平板部の外縁に設けられたフレーム（２）と、備え、前記フレームは複数枚のガードプレート（２１，２２，２３，２４）を有し、ガードプレートには逆係合プレート（３１，３２）が設けられ、隣接する中空床スラブ型枠間は、逆係合プレートとガードプレートとの係合によって繋ぎ合わされる。当該施工方法は、まず１番目の中空床スラブ型枠を敷設し、先に設けた中空床スラブ型枠の逆係合プレートが設けられた周縁以外の残りの周縁に、次に設ける中空床スラブ型枠を繋ぎ合わせ、次に設ける中空床スラブ型枠の逆係合プレートを先に設けた中空床スラブ型枠のガードプレートに係合させる。
2019525038.tif 000002
【特許請求の範囲】
【請求項１】
平板部と、前記平板部の下部に設けられた複数の支持脚と、前記平板部の外縁に設けられたフレームと、逆係合プレートとを有し、前記平板部は前記支持脚の真上に開口部を設け、前記開口部は、前記支持脚の中央部に空洞を形成するように下方に延びており、前記支持脚の底部は密閉され、前記フレームは複数枚のガードプレートを有し、前記平板部の各周縁には、いずれも１枚の前記ガードプレートが配置され、少なくとも１枚の前記ガードプレートには、当該ガードプレートの上端部から斜め下方に延出する前記逆係合プレートが設けられていることを特徴とする中空床スラブ型枠。
【請求項２】
前記平板部は、中心対称な四辺形又は六角形状であることを特徴とする請求項１に記載の中空床スラブ型枠。
【請求項３】
前記平板部の前記周縁の半数により周縁組が構成され、前記周縁組のうちの複数の前記周縁間は連続的な接続であり、前記周縁組に設けられた各前記ガードプレートには前記逆係合プレートが設けられていることを特徴とする請求項２に記載の中空床スラブ型枠。
【請求項４】
前記平板部は正多角形であり、複数の前記支持脚は、前記平板部の中央部及び各頂角近傍にそれぞれ配置されることを特徴とする請求項２に記載の中空床スラブ型枠。
【請求項５】
前記ガードプレートは前記平板部の周縁から外側へ斜めに延在し、前記支持脚は、前記開口部側から前記支持脚の底部側に向かって細くされて逆台状に形成されることを特徴とする請求項１に記載の中空床スラブ型枠。
【請求項６】
少なくとも２つの前記支持脚の間にいずれも補強リブが接続され、前記補強リブが前記平板部の底面に配置されていることを特徴とする請求項１乃至５のいずれか一項に記載の中空床スラブ型枠。
【請求項７】
互いに繋ぎ合わされる複数枚の中空床スラブ型枠を備え、前記中空床スラブ型枠は、平板部と、前記平板部の下部に設けられた複数の支持脚と、前記平板部の外縁に設けられたフレームと、逆係合プレートとを有し、前記平板部は前記支持脚の真上に開口部を設け、前記開口部は、前記支持脚の中央部に空洞を形成するように下方に延びており、前記支持脚の底部は密閉され、前記フレームは複数枚のガードプレートを有し、前記平板部の各周縁には、いずれも１枚の前記ガードプレートが配置され、少なくとも１枚の前記ガードプレートには、当該ガードプレートの上端部から斜め下方に延出する前記逆係合プレートが設けられ、隣接する２枚の中空床スラブ型枠間は、１番目の前記中空床スラブ型枠の逆係合プレートを他の前記中空床スラブ型枠のガードプレートに係合させることによって繋ぎ合わされることを特徴とする中空床スラブ構造。
【請求項８】
前記平板部は、中心対称な四辺形又は六角形状であることを特徴とする請求項７に記載の中空床スラブ構造。
【請求項９】
前記平板部の前記周縁の半数により周縁組が構成され、前記周縁組のうちの複数の前記周縁間は連続的な接続であり、前記周縁組に設けられた各前記ガードプレートには前記逆係合プレートが設けられていることを特徴とする請求項７又は８に記載の中空床スラブ構造。
【請求項１０】
前記平板部は正多角形であり、複数の前記支持脚は、前記平板部の中央部及び各頂角近傍にそれぞれ配置されることを特徴とする請求項９に記載の中空床スラブ構造。
【請求項１１】
前記ガードプレートは前記平板部の周縁から外側へ斜めに延在し、前記支持脚は、前記開口部側から前記支持脚の底部側に向かって徐々に細くされて逆台状に形成されることを特徴とする請求項７に記載の中空床スラブ構造。
【請求項１２】
少なくとも２つの前記支持脚の間にいずれも補強リブが接続され、前記補強リブが前記平板部の底面に配置されていることを特徴とする請求項７乃至１１のいずれか一項に記載の中空床スラブ構造。
【請求項１３】
複数枚の中空床スラブ型枠を備える中空床スラブの施工方法において、前記中空床スラブ型枠は、平板部と、前記平板部の下部に設けられた複数の支持脚と、前記平板部の外縁に設けられたフレームと、逆係合プレートとを有し、前記平板部は前記支持脚の真上に開口部を設け、前記開口部は、前記支持脚の中央部に空洞を形成するように下方に延びており、前記支持脚の底部は密閉され、前記フレームは複数枚のガードプレートを有し、前記平板部の各周縁には、いずれも１枚の前記ガードプレートが配置され、少なくとも１枚の前記ガードプレートには、当該ガードプレートの上端部から斜め下方に延出する前記逆係合プレートが設けられ、前記施工方法は、１枚の前記中空床スラブ型枠を敷設するステップと、先に設けた前記中空床スラブ型枠の周縁に、次に設ける前記中空床スラブ型枠を繋ぎ合わせ、次に設ける前記中空床スラブ型枠の逆係合プレートを先に設けた前記中空床スラブ型枠のガードプレートに係合させるステップとを含むことを特徴とする中空床スラブの施工方法。
【請求項１４】
前記平板部は、中心対称な四辺形又は六角形状であることを特徴とする請求項１３に記載の中空床スラブの施工方法。
【請求項１５】
前記平板部の前記周縁の半数により周縁組が構成され、前記周縁組のうちの複数の前記周縁間は連続的な接続であり、前記周縁組に設けられた各前記ガードプレートには前記逆係合プレートが設けられていることを特徴とする請求項１３又は１４に記載の中空床スラブの施工方法。
【請求項１６】
前記平板部は正多角形であり、複数の前記支持脚は、前記平板部の中央部及び各頂角近傍にそれぞれ配置されることを特徴とする請求項１５に記載の中空床スラブの施工方法。
【請求項１７】
前記ガードプレートは前記平板部の周縁から外側へ斜めに延在し、前記支持脚は、前記開口部側から前記支持脚の底部側に向かって徐々に細くされて逆台状に形成されることを特徴とする請求項１３に記載の中空床スラブの施工方法。
【請求項１８】
少なくとも２つの前記支持脚の間にいずれも補強リブが接続され、前記補強リブが前記平板部の底面に配置されていることを特徴とする請求項１３乃至１７のいずれか一項に記載の中空床スラブの施工方法。
【発明の詳細な説明】
【技術分野】
【０００１】
本発明は、建築施工の分野に関し、具体的に、中空床スラブ型枠、中空床スラブ構造及び中空床スラブ構造の施工方法に関する。本発明は、中国において２０１７年１月２２日に出願された中国特許出願番号ＣＮ２０１７１００５３７５１．３に基づくものであり、この出願は、参照されることにより、本出願に援用される。
【背景技術】
【０００２】
漏水防止屋根は、家屋の普遍的なものである。例えば、特許番号ＣＮ２０１４２０７９６９６６．６である中国実用新案では、床スラブと、防水フィルム層と、セメント砂層と、断熱層と、コンクリート層とを含み、断熱層は架空層構造であり、架空層構造と周縁の壁及び層が密閉室に囲まれる漏水防止屋根を開示している。この漏水防止屋根は、空気循環システムをさらに含み、この空気循環システムは、チャンバーと、入気管と、排気管とを含み、入気管は大気とチャンバーを連通し、排気管は大気とチャンバーを連通し、入気管及び排気管は漏水防止屋根の対向する両端に対応して設けられ、入気管の外面は薄い色であり、排気管は熱伝導材料で作られ、外面は暗い色である。当該断熱層は断熱レンガで繋ぎ合わされ、断熱レンガは矩形板状部を有し、矩形板状部の一方の板面の４つの角部及び中央部のそれぞれから支持柱部が延出される。
【０００３】
しかし、このような漏水防止屋根は、断熱レンガにより屋根の重量が大幅に増加され、断熱レンガの重量及びコンクリート層の重量を合わせると、漏水防止屋根は幾つかの建物の設計要件に対して不適切となると共に、建物の耐荷重に一定のリスクを生じる問題がある。また、断熱レンガを敷設した後に、漏水防止の要求を達するために、断熱レンガの間にセメントを充填する必要があり、漏水防止屋根の施工工程が増加し、施工困難性が増加し、時間がかかるという問題もある。
【０００４】
また、従来の防音床スラブは、コンクリート層に発泡スチロール球アレイを敷設し、縦横にスチールバーを配置した中空床スラブであり、床スラブ内のコンクリートの音の伝播面積や媒体を変化させることにより、防音効果を図っている。しかし、このような防音床スラブは、発泡スチロール球が設置されたコンクリートの単位空間において、コンクリートの横断面積の割合が依然として４０％〜５０％となるため、防音効果がよくないという問題点がある。
【発明の概要】
【発明が解決しようとする課題】
【０００５】
本発明の第１目的は、施工しやすく、漏水防止・防音効果を有する軽量な中空床スラブ型枠を提供することにある。
【０００６】
本発明の第２目的は、施工しやすく、漏水防止・防音効果を有する軽量な中空床スラブ構造を提供することにある。
【０００７】
本発明の第３目的は、施工しやすい中空床スラブの施工方法を提供することにある。
【課題を解決するための手段】
【０００８】
本発明の第１目的を達成する中空床スラブ型枠は、平板部と、平板部の下部に設けられた複数の支持脚と、平板部の外縁に設けられたフレームと、逆係合プレートとを有し、平板部は支持脚の真上に開口部を設け、開口部は、支持脚の中央部に空洞を形成するように下方に延びており、支持脚の底部は密閉され、フレームは複数枚のガードプレートを有し、平板部の各周縁には、いずれも１枚のガードプレートが配置され、少なくとも１枚のガードプレートには、当該ガードプレートの上端部から斜め下方に延出する前記逆係合プレートが設けられている。
【０００９】
更なる態様として、平板部は、中心対称な四辺形又は六角形である。
【００１０】
更なる態様として、平板部の周縁の半数により周縁組が構成され、周縁組のうちの複数の周縁間は連続的な接続であり、周縁組に設けられた各ガードプレートには逆係合プレートが設けられている。
【００１１】
更なる態様として、平板部は正多角形であり、複数の支持脚は、平板部の中央部及び各頂角近傍にそれぞれ配置される。
【００１２】
更なる態様として、いずれか２本の支持脚の間は、いずれも補強リブに接続され、補強リブは平板部の底面に設けられる。
【００１３】
更なる態様として、ガードプレートは平板部の周縁から外側へ斜めに延在し、支持脚は、開口部側から支持脚の底部側に向かって細くされて逆台状に形成される。
【００１４】
本発明の第２目的を達成する中空床スラブ構造は、互いに繋ぎ合わされる複数枚の中空床スラブ型枠を備え、中空床スラブ型枠は、平板部と、平板部の下部に設けられた複数の支持脚と、平板部の外縁に設けられたフレームと、逆係合プレートとを有し、平板部は支持脚の真上に開口部を設け、開口部は、支持脚の中央部に空洞を形成するように下方に延びており、支持脚の底部は密閉され、フレームは複数枚のガードプレートを有し、平板部の各周縁には、いずれも１枚のガードプレートが配置され、少なくとも１枚のガードプレートには、当該ガードプレートの上端部から斜め下方に延出する前記逆係合プレートが設けられ、隣接する２枚の中空床スラブ型枠間は、１番目の中空床スラブ型枠の逆係合プレートを他の中空床スラブ型枠のガードプレートに係合させることによって繋ぎ合わされる。
【００１５】
本発明の第３目的を達成する中空床スラブの施工方法において、かかる中空床スラブは、平板部と、平板部の下部に設けられた複数の支持脚と、平板部の外縁に設けられたフレームと、逆係合プレートとを有し、平板部は支持脚の真上に開口部を設け、開口部は、支持脚の中央部に空洞を形成するように下方に延びており、支持脚の底部は密閉され、フレームは複数枚のガードプレートを有し、平板部の各周縁には、いずれも１枚のガードプレートが配置され、少なくとも１枚のガードプレートには、当該ガードプレートの上端部から斜め下方に延出する前記逆係合プレートが設けられている。施工方法は、１枚の中空床スラブ型枠を敷設するステップと、先に設けた中空床スラブ型枠の周縁に、次に設ける中空床スラブ型枠を繋ぎ合わせ、次に設ける中空床スラブ型枠の逆係合プレートを先に設けた中空床スラブ型枠のガードプレートに係合させるステップとを含む。
【発明の効果】
【００１６】
本発明の中空床スラブ型枠は、１番目の中空床スラブ型枠を敷設した後、先に設けた中空床スラブ型枠の周縁に次に設ける中空床スラブ型枠を繋ぎ合わせ、次に設ける中空床スラブ型枠の逆係合プレートを先に設けた中空床スラブ型枠のガードプレートに係合させて、複数枚の型枠がしっかりと係合された中空床スラブの中空層に繋ぎ合わされる。その後に、コンクリートを中空床スラブ型枠のフレーム内に注入させ、コンクリートは開口部に沿って支持脚の中央部の空洞に入り、床スラブ型枠の上に敷き詰められてコンクリート層を形成し、隣接する床スラブ型枠同士は逆係合プレートで接続され、シームレスに整合するため、中空層とコンクリート層の施工がいずれも簡単で迅速であり、最終的に形成される漏水防止屋根はより軽量で、耐荷重に問題ないので、適用範囲がより広い。
【００１７】
さらに、中空床スラブ型枠が繋ぎ合わせてなる中空床スラブ構造は、フロア間の防音にも使用でき、フロア間の音の伝達は主に支持脚を介して伝達され、支持脚のそれらが位置する空間内の横断面積の割合が比較的に小さいので、より良い防音効果を奏することができる。
【００１８】
また、平板部を矩形にして、完全に繋ぎ合わせると、中空床スラブ型枠は、格子配置を呈する。或いは、平板部を六角形にして、完全に繋ぎ合わせると、中空床スラブ型枠は、ハニカムグリッド分布を呈する。従って、施工時に、作業者はより容易に識別でき、施工効率が向上する。
【００１９】
また、逆係合プレートの整然とした設置は、中空床スラブ型同士の繋ぎ合わせをより簡単で迅速にし、施工困難性を低減し、作業効率を向上させる。
【００２０】
さらに、正多角形の設計により、床スラブ型枠のレイアウト及び面積計算が容易になり、支持脚の配置により、中空床スラブ型枠はより好ましい機械的特性を有することになる。
【００２１】
また、ガードプレートの外側傾斜設計と支持脚の狭小化設計により、中空床スラブ型枠同士を互いに積み重ねることができ、搬送がより便利になる。
【００２２】
また、補強リブの配置により、中空床スラブ型枠はより好ましい耐屈曲性を有することになり、機械的特性を向上する。
【図面の簡単な説明】
【００２３】
【図１】本発明の中空床スラブ型枠の第１実施例の構造図である。
【図２】本発明の中空床スラブ型枠の第１実施例の断面図である。
【図３】本発明の中空床スラブ型枠の第１実施例の別の視点からの構造図である。
【図４】本発明の中空床スラブ型枠の第１実施例の接続関係図である。
【図５】図４におけるＡ部の拡大図である。
【図６】本発明の中空床スラブ構造の第１実施例の構造図である。
【図７】本発明の中空床スラブ型枠の第１実施例の構造模式図である。
【図８】本発明の中空床スラブ型枠の第１実施例の第１接続関係図である。
【図９】本発明の中空床スラブ型枠の第１実施例の第２接続関係図である。
【図１０】本発明の中空床スラブ型枠の第２実施例の構造模式図である。
【図１１】本発明の中空床スラブ型枠の第２実施例の接続関係図である。
【発明を実施するための形態】
【００２４】
以下、本発明について、図面及び実施例に関連しながらさらに説明する。
中空床スラブ型枠の第１実施例
本発明の提供する中空床スラブ構造が同一構造の複数の中空床スラブ型枠を繋ぎ合わせてなるため、本実施例では、中空床スラブ型枠を詳細に説明すると共に、中空床スラブ構造についても説明する。
【００２５】
図１は、本発明の中空床スラブ型枠の構造図である。中空床スラブ型枠は、エンジニアリングプラスチック用の射出成形金型により生産されるか、または薄いアルミニウムシートを打ち抜いてなるため、中空床スラブ型枠は軽量である。中空床スラブ型枠は、平板部１と、フレーム２と、平板部１の下方に配置された支持脚４とを備える。本実施例における平板部１は、正方形を呈し、フレーム２は、平板部１の外縁を囲む延長部である。フレーム２は、平板部１の４本の周縁にそれぞれ配置された第１ガードプレート２１、第２ガードプレート２２、第３ガードプレート２３及び第４ガードプレート２４を備え、４本の周縁に配置された４枚のガードプレートは、同じ構造であり、各ガードプレートは、対応する周縁の第１端部から周縁の第２端部まで延在し、隣接するガードプレート同士は、４つのガードプレートによりフレーム２を形成するように互いに接続される。隣接する第１ガードプレート２１及び第２ガードプレート２２には、第１逆係合プレート３１及び第２逆係合プレート３２がそれぞれ配置されている。
【００２６】
図２を参照すると、図２は本発明の中空床スラブ型枠の断面図である。図１と合わせて、ガードプレート２１を例として説明する。ガードプレート２１は、平板部１の周縁から外側に向かって斜めに延在し、ガードプレート２１の上端部には、下方に外向きに延在する逆係合プレート３１が設けられ、ガードプレート２１の垂直面Ｌに対して形成される傾斜角度は、逆係合プレート３１の垂直面Ｌに対して形成される傾斜角度と等しく、逆係合プレート３１は、ガードプレート２１の長手方向の前端からガードプレート２１の長手方向の後端まで延び、且つ、逆係合プレート３１の延びは、平板部１の上面の水平高さを超えない。
【００２７】
平板部１の下部には、５つの支持脚４が接続されている。正方形の平板部１の４つの頂角近傍には、いずれも１つの支持脚４が設けられ、平板部１の中央には１つの支持脚４が設けられ、四隅に位置する４つの支持脚４は対称的に配置されている。平板部１は、各支持脚４の真上にいずれも開口部４１を設け、開口部４１が下方に延びて空洞４２を形成し、支持脚４の底部４３が密閉される。
【００２８】
支持脚４は、開口部４１側から支持脚４の底部側に向かって徐々に細くなる逆台状に形成される。支持脚４は、逆円錐台又は角錐台状を呈し、且つ、空洞４２により、支持脚４は周壁を有するようになり、周壁の均一な厚みは、支持脚４の内壁面の傾きと外壁面の傾きとが等しくなるように保証する。ただし、開口部４１のサイズ及び支持脚４の傾きは、中空床スラブ型枠の積み重ねを保証できるようなものであり、その上方の中空床スラブ型枠の支持脚を開口部４１内へ入らせることができる。同様に、ガードプレート２１の外側傾斜設計は中空床スラブ型枠の重なりも容易にする。
【００２９】
図３を参照すると、図３は本発明の中空床スラブ型枠の別の視点からの構造図である。平板部１の底面において、いずれか２本の支持脚４の間には、いずれも連結補強のための直線状の補強リブ５１が設けられ、中空床スラブ型枠が打ち抜き成型によるものであるため、平板部１の底面に補強リブ５１を形成すると共に、対応的に平板部１の表面に凹溝５２（図１に示す）を形成する。
【００３０】
図４及び図５を参照すると、図４は本発明の中空床スラブ型枠の接続関係図であり、図５は図４におけるＡ部の拡大図である。図１と合わせて、フレーム２は方形であり、隣接する２つのガードプレートにはいずれも逆係合プレートが設けられ、他の２つの隣接するガードプレートには逆係合プレートが設けられていない。中空床スラブ型枠の間を繋ぎ合わせる必要がある時、逆係合プレートとガードプレートとの間の合わせによって達成することができる。中空床スラブ型枠１００と中空床スラブ型枠１０１との間の繋ぎ合わせを行う必要がある場合、まず、中空床スラブ型枠１００を敷設すべき場所の地面上に置き、その時、中空床スラブ型枠１０１の逆係合プレート３１が設けられた第１ガードプレート２１の一方端を、中空床スラブ型枠１００の逆係合プレートが配置されていない第１ガードプレート１２１に係合する。逆係合プレート３１が自身の位置している中空床スラブ型枠１０１に対して外側に傾斜しているため、隣接する中空床スラブ型枠１００に対して、逆係合プレート３１の傾斜方向は、第１ガードプレート１２１と一致する。従って、ガイド協働の下で、逆係合プレート３１が第１ガードプレート１２１に係止され、同時に、中空床スラブ型枠１００と中空床スラブ型枠１０１との間の隙間は第１ガードプレート２１と逆係合プレート３１によって遮蔽される。
【００３１】
図６を参照すると、図６は本発明の中空床スラブ構造の実施例の構造図である。複数枚の中空床スラブ型枠１０１は、２次元方向に繋ぎ合わされて中空床スラブ構造を構成する。１枚の中空床スラブ型枠１０１に対して、周縁に配置されたガードプレートの半数によりガードプレート組を構成し、且つ、ガードプレート組のうちの２枚のガードプレートが隣接するガードプレートに、構造の同じ複数枚の中空床スラブ型枠を繋ぎ合わせる場合、いずれか２枚の中空床スラブ型枠の間にはいずれも逆係合プレートとガードプレートとの間の係合関係が存在するよう保証できる。即ち、いずれか２枚の中空床スラブ型枠の間に隙間がないようにすることを保証する。
【００３２】
中空床スラブ型枠を基に、平板部の上下を連通する配管をその平板部に配置すると、異なる機能を有する床スラブ型枠を形成することができる。例えば、平板部の中央部に井戸口を設けると、中空床スラブ検出口型枠１０５が形成され、また、平板部の上下に連通する薄い色のエルボー配管を平板部の中央部に配置すると、中空床スラブ対流入気口１０３が形成され、平板部の上下に連通する暗い色のエルボー配管を平板部の中央部に配置すると、中空床スラブ対流排気口１０４が形成される。中空床スラブ型枠１０１を繋ぎ合わせて中空床スラブ構造を構成すると共に、中空床スラブ対流入気口１０３、中空床スラブ対流排気口１０４、及び中空床スラブ検出口型枠１０５を組み込み、さらにコンクリートを各型枠の上方から注入してコンクリート層を形成すると、屋根漏水防止構造を構成することができる。この屋根漏水防止構造の具体的な作動原理は、特許番号がＣＮ２０１４２０７９６９６６．６である中国実用新案を参照されたい。
【００３３】
図２を合わせて、各中空床スラブ型枠１０１、中空床スラブ対流入気口１０３、中空床スラブ対流排気口１０４、及び中空床スラブ検出口型枠１０５の平板部１に設けられたフレーム２は、平板部１毎に収容空間を形成すると共に、収容空間はさらに開口部４１を介して連通される複数の空洞４２を含み、コンクリートを中空床スラブ型枠１０１の上方から注入する時、コンクリートは開口部４１から支持脚４の中央部に空洞４２に入る。従って、凝固後のコンクリート層は支持脚を有し、コンクリート層は主に支持役割を果たすので、中空床スラブ型枠１０１はできるだけ軽量・薄型に設計でき、搬送及び施工をさらに便利にする。中空床スラブとその下方の構造床スラブの地面との間が支持脚４のみにより連結されるため、伝音面積が大幅に減少し、中空床スラブ型枠を用いて構築した中空床スラブをフロア間の追加床スラブとして使用すると、一定の防音効果も達成できる。
【００３４】
図７を参照すると、図７は本発明の中空床スラブ型枠の第１実施例の構造模式図である。正方形の中空床スラブ型枠１０１において、隣接する２つの周縁が周縁組を構成し、周縁組の２つの周縁におけるガードプレートのそれぞれには第１逆係合プレート３１と第２逆係合プレート３２が設けられ、周縁組以外の２つの周縁における第３ガードプレート２３と第４ガードプレート２４はいずれも逆係合プレートが設けられていない。
【００３５】
図８を参照すると、図８は本発明の中空床スラブ型枠の第１接続関係図である。図７を合わせて、繋ぎ合わせる必要がある中空床スラブ型枠１０１の周縁組はいずれも右下隅向きに配置され、施工時には、まず右下隅の１番目の中空床スラブ型枠１０１を敷設し、その後にその左側及び上側で繋ぎ合わせを行う。このように循環して、最終的に床スラブ構造の繋ぎ合わせを完了する。繋ぎ合わせる必要がある中空床スラブ型枠１０１の周縁組がいずれも同一方向に配置されることで、ステップが簡素化され、誤差の確率を大幅に低減させる。
【００３６】
図９を参照すると、図９は本発明の中空床スラブ型枠の第２接続関係図である。図７を合わせて、第１列の全ての繋ぎ合わせる必要がある中空床スラブ型枠１０１の周縁組は、いずれも右下隅向きに配置され、第２列の全ての繋ぎ合わせる必要がある中空床スラブ型枠１０１の周縁組は、いずれも左下隅向きに配置される。よって、同様に中空床スラブ型枠の繋ぎ合わせを完成できる。
中空床スラブ型枠の第２実施例
【００３７】
図１０及び図１１を参照すると、図１０は本発明の中空床スラブ型枠の第２実施例の構造模式図であり、図１１は本発明の中空床スラブ型枠の第２実施例の接続関係図である。
【００３８】
本発明の中空床スラブ型枠は、正方形に加えて、中心対称な四辺形又は中心対称な六角形のいずれかであってもよい。正六角形を例にとると、中空床スラブ型枠２０１の平板部は正六角形を呈し、中空床スラブ型枠２０１の周縁組は右側の隣接する３つの周縁であり、周縁組の３つの周縁にはそれぞれ第１逆係合プレート２３１、第２逆係合プレート２３２及び第３逆係合プレート２３３があり、中空床スラブ型枠２０１の周縁組以外の３つの周縁部にそれぞれ第４ガードプレート２２４、第５ガードプレート２２５及び第６ガードプレート２２６が配置されている。中空床スラブ型枠２０１のフレーム及び支持脚の具体的な構造は、第１実施例における構成と全く同じであるので、再度説明しない。
【００３９】
六角形の中空床スラブ型枠２０１の繋ぎ合わせ作業を行う場合、全ての繋ぎ合わせる必要がある中空床スラブ型枠２０１の周縁組はいずれも右側向きであり、中空床スラブ型枠２０１の周縁組以外の第４ガードプレート２２４、第５ガードプレート２２５、及び第６ガードプレート２２６は、いずれも１枚の新しい中空床スラブ型枠２０１に係合され、このように循環すると、六角形の中空床スラブ型枠２０１の繋ぎ合わせ作業を完了することができる。
【００４０】
勿論、中空床スラブ型枠の形状は正方形や正六角形のみに限定されず、中空床スラブ型枠の形状は中心対称な四辺形又は六角形であればよい。さらに、その周縁の半数により周縁組を構成し、周縁組のうち各周縁間は連続的な接続であり、周縁組のうち各周縁のガードプレートに逆係合プレートを配置すればよい。
中空床スラブ構造の施工方法の実施例
【００４１】
中空床スラブ型枠の具体的な構造は中空床スラブ型枠の第１実施例で詳細に説明されたため、ここでは再度説明しない。正方形の中空床スラブ型枠を例として、中空床スラブ型枠構造を敷設して断熱層又は防音層を形成する時、まず、作業場の基準位置に１番目の中空床スラブ型枠を敷設し、この中空床スラブ型枠の周縁組、即ち、逆係合プレートが設けられた側を外側にして配置する。その後、２つの新しい中空床スラブ型枠を１番目の中空床スラブ型枠に係合させ、２つの新しい中空床スラブ型枠は１番目の中空床スラブ型枠の周縁組を除く２つの周縁におけるガードプレート上にそれぞれ係合される。そして、２つの新しい中空床スラブ型枠の周縁組は、図８に示すように、１番目の中空床スラブ型枠の向きと同じ向きになっている。その後、敷設された先に設けた中空床スラブ型枠材を基準として、その後に次の２枚の新しい中空床スラブ型枠を敷設し、このように循環して、最終的に一定面積を有する中空床スラブ型枠構造を形成する。
【００４２】
特許番号がＣＮ２０１４２０７９６９６６．６である中国実用新案で用いられる５脚断熱レンガからなる断熱層と比較して、中空床スラブ型枠からなる中空床スラブ構造の支持脚のある空間も同様に架空構造を形成しており、架空構造の中空床スラブ構造は空気循環機能と防音機能を有し、且つ、中空床スラブ型枠の重量は、５脚断熱レンガよりも大幅に低減されると共に、中空床スラブ型枠は互いに係合されながら間隙漏水防止を形成し、５脚断熱レンガのように敷設後にレンガの隙間の間にセメントを充填する必要がない。中空床スラブ構造は、過荷重の問題がないため、より広い適用性を有する。中空床スラブのフレームの外側傾斜設計及び支持脚の狭小化設計により、中空床スラブ型枠間の重なりが可能になり、その搬送プロセスがより便利になる。
【００４３】
最後に、上記の説明は、本発明の好ましい実施例に過ぎず、本発明を限定するものではなく、当業者であれば、本発明を種々に変更及び改変できることは言うまでもない。例えば、中空床スラブ構造は、輪郭の異なる複数枚の中空床スラブ型枠を繋ぎ合わせることで構成できる。なお、本発明の精神と原則内で行われた修正や、同等置換、改善等は、いずれも本発明の保護範囲に含まれるべきである。
産業上の利用可能性
【００４４】
本発明の中空床スラブ型枠は、例えば漏水防止屋根のような床スラブ構造の作製に利用できる。なお、このような構造を利用した床スラブ構造では、隣接する床スラブ型枠同士が逆係合プレートによりシームレスに整合されるため、セメントを充填する必要がなく、断熱層及びコンクリート層の施工が簡単で迅速になり、最終的に形成される漏水防止屋根はより軽質であり、防音及び換気の特性を有し、耐荷重に問題なく、適用範囲がより広い。
【００４５】
また、本発明の中空床スラブ構造を用いることにより、施工中にセメントを使用する必要がなく、施工工程が簡単であり、施工効率を向上させることができる。
【図１】
2019525038.tif 000003
【図２】
2019525038.tif 000004
【図３】
2019525038.tif 000005
【図４】
2019525038.tif 000006
【図５】
2019525038.tif 000007
【図６】
2019525038.tif 000008
【図７】
2019525038.tif 000009
【図８】
2019525038.tif 000010
【図９】
2019525038.tif 000011
【図１０】
2019525038.tif 000012
【図１１】
2019525038.tif 000013
【国際調査報告】
2019525038.tif 000014
2019525038.tif 000015
2019525038.tif 000016
2019525038.tif 000017